(57)【要約】【課題】顧客による読取操作を不要としたうえで顧客に情報提示することが可能な情報提示システムを提供する。【解決手段】情報提示システム１は、容器１１と、容器１１に設けられ当該容器１１に対する操作を検出する操作センサ１３と、操作センサ１３により容器１１への操作が検出された場合に操作が有った旨を示す操作信号を送信する送信部１５と、送信部１５から操作信号を受信した場合には情報を提示する情報提示機器とを備える。【選択図】図２
2017228051.tif 000002
【特許請求の範囲】
【請求項１】
容器と、
前記容器に設けられ当該容器に対する操作を検出する操作センサと、
前記操作センサにより前記容器への前記操作が検出された場合に操作が有った旨を示す操作信号を送信する送信部と、
前記送信部から前記操作信号を受信した場合に情報を提示する情報提示機器と、
を備えることを特徴とする情報提示システム。
【請求項２】
前記情報提示機器は、所定期間連続して前記送信部から前記操作信号を受信しなかった場合、情報を提示する
ことを特徴とする請求項１に記載の情報提示システム。
【請求項３】
前記容器の内容物は顧客の使用により消費していく消耗品であって、
前記情報提示機器は、前記操作信号を受信した回数に基づいて前記内容物が所定量以上減少したことを判断する消費判断手段を備え、前記消費判断手段により前記内容物が所定量以上減少したと判断された場合に、当該内容物の減少を示す情報を提示する
ことを特徴とする請求項１又は請求項２のいずれかに記載の情報提示システム。
【請求項４】
前記容器の内容物は顧客の使用により消費していく消耗品であって、
前記情報提示機器は、前記操作信号を受信した回数に基づいて前記内容物が所定量以上減少したことを判断する消費判断手段を備え、前記消費判断手段により前記内容物が所定量以上減少したと判断された場合に、当該内容物の再発注に関する情報を提示する
ことを特徴とする請求項１又は請求項２のいずれかに記載の情報提示システム。
【請求項５】
前記操作センサは、当該容器に対する開閉操作を検出し、
前記情報提示機器は、前記操作センサから開操作に応じた操作信号を受信した後に、閉操作に応じた操作信号を所定時間以上受信しなかった場合、容器が開状態のままである旨の情報提示を行う
ことを特徴とする請求項１から請求項４のいずれか１項に記載の情報提示システム。
【請求項６】
前記情報提示機器は、前記操作センサから操作に応じた操作信号を規定時間以内に所定回数以上受信した場合、情報の提示を行う
ことを特徴とする請求項１から請求項５のいずれか１項に記載の情報提示システム。
【請求項７】
前記容器に設けられ当該容器の周囲温度を検出する温度センサをさらに備え、
前記送信部は、前記操作センサにより前記容器の前記操作が検出された場合に、操作が有った旨を示す操作信号と共に、前記温度センサにより検出される温度信号を送信し、
前記情報提示機器は、前記温度信号が示す温度に応じた情報を提示する
ことを特徴とする請求項１から請求項６のいずれか１項に記載の情報提示システム。
【発明の詳細な説明】
【技術分野】
【０００１】
本発明は、情報提示システムに関する。
【背景技術】
【０００２】
従来、商品等の顧客に対して情報を提示する情報提示システムが提案されている。この情報提示システムには、商品又はその外装等にいわゆるＱＲコード（登録商標）やＡＲ（Augmented Reality）マーカーなどを付しておき、これを読み取り装置（例えばスマートフォン）により読み取ることで、ＱＲコードなどに紐づけられた情報を顧客に対して提供するものがある（例えば特許文献１参照）。
【先行技術文献】
【特許文献】
【０００３】
【特許文献１】特開２０１６−１２３４９号公報
【発明の概要】
【発明が解決しようとする課題】
【０００４】
しかし、特許文献１に記載の情報提示システムでは、顧客がＱＲコード等を読み取らない限り情報を提示することができず、顧客の読取操作を要するものであった。
【０００５】
本発明はこのような従来の課題を解決するためになされたものであり、その目的とするところは、顧客による読取操作を不要としたうえで顧客に情報提示することが可能な情報提示システムを提供することにある。
【課題を解決するための手段】
【０００６】
本発明の情報提示システムは、容器と、前記容器に設けられ当該容器に対する操作を検出する操作センサと、前記操作センサにより前記容器への前記操作が検出された場合に操作が有った旨を示す操作信号を送信する送信部と、前記送信部から前記操作信号を受信した場合に情報を提示する情報提示機器と、を備えることを特徴とする。
【０００７】
本発明の情報提示システムによれば、容器への操作を検出して操作信号を送信し、情報提示機器にて情報を提示するため、顧客の商品の使用に伴う容器への操作に応じて情報を提示することができる。従って、顧客による読取操作を不要としたうえで顧客に情報提示することができる。
【０００８】
また、本発明の情報提示システムにおいて、前記情報提示機器は、所定期間連続して前記送信部から前記操作信号を受信しなかった場合、情報を提示することが好ましい。
【０００９】
この情報提示システムによれば、所定期間連続して送信部から操作信号を受信しなかった場合に情報を提示するため、商品が使用されず放置されている場合などに例えば商品使用を促す情報を提示することができる。
【００１０】
また、本発明の情報提示システムにおいて、前記容器の内容物は顧客の使用により消費していく消耗品であって、前記情報提示機器は、前記操作信号を受信した回数に基づいて前記内容物が所定量以上減少したことを判断する消費判断手段を備え、前記消費判断手段により前記内容物が所定量以上減少したと判断された場合に、当該内容物の減少を示す情報を提示することが好ましい。
【００１１】
この情報提示システムによれば、操作信号を受信した回数に基づいて内容物が所定量以上減少したことを判断し、所定量以上減少したと判断された場合に、当該内容物の減少を示す情報を提示するため、内容物がもうすぐ無くなる場合などに情報を提示して利便性を向上させることができる。
【００１２】
また、本発明の情報提示システムにおいて、前記容器の内容物は顧客の使用により消費していく消耗品であって、前記情報提示機器は、前記操作信号を受信した回数に基づいて前記内容物が所定量以上減少したことを判断する消費判断手段を備え、前記消費判断手段により前記内容物が所定量以上減少したと判断された場合に、当該内容物の再発注に関する情報を提示することが好ましい。
【００１３】
この情報提示システムによれば、操作信号を受信した回数に基づいて内容物が所定量以上減少したことを判断し、所定量以上減少したと判断された場合に、商品の再発注に関する情報を提示するため、内容物がもうすぐ無くなる場合などに再発注したり再発注を促したりすることができる。
【００１４】
また、本発明の情報提示システムにおいて、前記センサは、当該容器に対する開閉操作を検出し、前記情報提示機器は、前記操作センサから開操作に応じた操作信号を受信した後に、閉操作に応じた操作信号を所定時間以上受信しなかった場合、容器が開状態のままである旨の情報提示を行うことが好ましい。
【００１５】
この情報提示システムによれば、操作センサから開操作に応じた操作信号を受信した後に、閉操作に応じた操作信号を所定時間以上受信しなかった場合、容器が開状態のままである旨の情報提示を行うため、内容物が乾燥に弱いものである場合など容器が開状態のままとなり、内容物が使用できなくなってしまう事態の防止に貢献することができる。
【００１６】
また、本発明の情報提示システムにおいて、前記情報提示機器は、前記操作センサから操作に応じた操作信号を規定時間以内に所定回数以上受信した場合、情報の提示を行うことが好ましい。
【００１７】
この情報提示システムによれば、操作信号を所定時間以内に所定回数以上受信した場合、情報の提示を行う。このため、例えば子供のいたずらなどにより何度も容器が開けられている場合などには内容物の誤飲の可能性等が考えられ、このようなときに容器の保管に関する情報などが提示されることとなり、保管を厳重に行うこと（現在よりも保管を強化すること）を促して誤飲等の可能性を低減させることができる。
【００１８】
また、本発明の情報提示システムにおいて、前記容器に設けられ当該容器の周囲温度を検出する温度センサをさらに備え、前記送信部は、前記操作センサにより前記容器の前記操作が検出された場合に、操作が有った旨を示す操作信号と共に、前記温度センサにより検出される温度信号を送信し、前記情報提示機器は、前記温度信号が示す温度に応じた情報を提示することが好ましい。
【００１９】
この情報提示システムによれば、情報提示機器は温度信号が示す温度に応じた情報を提示するため、例えば、内容物からすると保管に適する温度環境で保管されていない場合などにその旨の情報を提示でき、内容物の品質維持に貢献することができる。
【発明の効果】
【００２０】
本発明によれば、顧客による読取操作を不要としたうえで顧客に情報提示することが可能な情報提示システムを提供することができる。
【図面の簡単な説明】
【００２１】
【図１】本実施形態に係る情報提示システムの構成図である。
【図２】図１に示した商品の構成図である。
【図３】図１に示した情報提示機器のブロック図である。
【図４】提示される情報の一例を示す情報提示機器の第１の正面図である。
【図５】提示される情報の一例を示す情報提示機器の第２の正面図である。
【図６】提示される情報の一例を示す情報提示機器の第３の正面図である。
【図７】提示される情報の一例を示す情報提示機器の第４の正面図である。
【図８】内容物の減少時に提示される情報の一例を示す情報提示機器の正面図である。
【図９】温度に応じて提示される情報の一例を示す情報提示機器の正面図である。
【図１０】本実施形態に係る情報提示システムの処理内容を示すフローチャートであって、制御部により実行される処理を示している。
【発明を実施するための形態】
【００２２】
以下、本発明を好適な実施形態に沿って説明する。なお、本発明は以下に示す実施形態に限られるものではなく、本発明の趣旨を逸脱しない範囲において適宜変更可能である。また、以下に示す実施形態においては、一部構成の図示や説明を省略している箇所があるが、省略された技術の詳細については、以下に説明する内容と矛盾点が発生しない範囲内において、適宜公知又は周知の技術が適用されていることはいうまでもない。
【００２３】
図１は、本実施形態に係る情報提示システムの構成図である。図１に示すように、情報提示システム１は、商品１０と、情報提示機器２０とから構成され、商品１０から出力される信号に基づいて、情報提示機器２０が情報を出力するものである。
【００２４】
図２は、図１に示した商品１０の構成図である。図２に示すように、商品１０は、顧客によって購入されるものであって、容器１１と、内容物１２と、操作センサ１３と、温度センサ１４と、送信部１５とから構成されている。
【００２５】
容器１１は、例えば上方が開放され下方が閉塞された有底筒体の本体部１１ａと、本体部１１ａの上方後端にヒンジ接続される蓋体１１ｂとから構成されている。内容物１２は容器１１に収納されるものであって、本実施形態においては顧客の使用により消費していく化粧品等の消耗品である。このような内容物１２は、中皿１２ａに収納されており、内容物１２が無くなった場合には中皿１２ａごと内容物１２の交換が可能となっている。なお、内容物１２は化粧品に限られるものではない。
【００２６】
操作センサ１３は、容器１１のヒンジ部分に設けられ容器１１に対する操作を検出するものである。この操作センサ１３は、例えば、上記したヒンジ部分に設けられた圧電素子によって構成され、蓋体１１ｂの開閉に伴う形状変化に応じて電気信号を発する。温度センサ１４は、容器１１に設けられ容器１１の周囲温度を検出するものであって、無電源又は低消費電力のセンサによって構成されている。
【００２７】
送信部１５は、例えば送信回路と送信アンテナとによって構成されており、操作センサ１３により容器１１への開閉操作が検出された場合に操作が有った旨を示す操作信号を送信するものである。また、送信部１５は、操作信号と共に、温度センサ１４により検出される温度信号を送信するものである。
【００２８】
なお、上記送信部１５の駆動電力及び温度センサ１４の動作電力は、操作センサ１３を構成する圧電素子からの電力を利用しても良いし、別途電源（電池）を備えていても良い。
【００２９】
このような商品１０において、顧客が内容物１２を使用する場合、容器１１が開操作される。送信部１５は、この開操作に応じて開操作を示す操作信号を送信する。また、顧客が内容物１２の使用を終えると、容器１１が閉操作される。送信部１５は、この閉操作に応じて閉操作を示す操作信号を送信する。また、送信部１５は、開操作を示す操作信号及び閉操作を示す操作信号の少なくとも一方と共に、温度信号を送信する。
【００３０】
図３は、図１に示した情報提示機器２０のブロック図である。図３に示す情報提示機器２０は、商品１０の顧客が保有する機器であって、例えば情報提示システム１を実現するためのプログラムがダウンロード（アプリがダウンロード）されたスマートフォンによって構成される。この情報提示機器２０は、タッチパネル式のＬＣＤによって構成される操作表示部２１と、音声による情報出力が可能な音声出力部２２と、制御部２３とを備えている。
【００３１】
制御部２３は、ダウンロードされたプログラムが実行されることで、情報提示制御部２３ａと、情報判断部２３ｂと、消費判断部（消費判断手段）２３ｃとが機能する。このうち情報提示制御部２３ａは、顧客に対して情報を提示するために、操作表示部２１や音声出力部２２を制御するものであって、情報判断部２３ｂにより提示すると判断された情報の提示制御を実行するものである。
【００３２】
情報判断部２３ｂは、以下の４つの場合のそれぞれにおいて、以下に示す情報を顧客に提示すると判断するものである。図４〜図７は、提示される情報の一例を示す情報提示機器２０の正面図である。
【００３３】
第１に、情報判断部２３ｂは、操作信号を受信した場合に、図４に示すように商品１０の使用に対するお礼の情報（例えば「商品をご使用頂き真に有難うございます。」という文字情報）や、付属商品の情報（例えば１クリックで付属商品の購入画面へ遷移するＵＲＬ情報）などを提示すると判断する。なお、図４に示す例の他、商品１０の使用結果を問うアンケート情報（例えば「１クリックで特定画面へ遷移するＵＲＬ情報」）、及び、類似商品の情報（例えば１クリックで類似商品の購入画面へ遷移するＵＲＬ情報）などを提示すると判断してもよい。
【００３４】
第２に、情報判断部２３ｂは、所定期間連続して送信部１５から操作信号を受信しなかった場合、図５に示すように、商品使用を促す情報（例えば「商品はお気に召しませんでしたでしょうか。」という文字情報）を提示すると判断する。これにより、商品１０が長期間使用されず放置されている場合などに、商品１０の使用を促すことができるからである。なお、図５に示すように、情報判断部２３ｂは、所定期間連続して送信部１５から操作信号を受信しなかった場合、類似商品の情報（例えば１クリックで類似商品の購入画面へ遷移するＵＲＬ情報）を提示すると判断してもよい。
【００３５】
第３に、情報判断部２３ｂは、開操作に応じた操作信号を受信した後に、閉操作に応じた操作信号を所定時間以上受信しなかった場合、図６に示すように、容器１１が開状態のままである旨の情報（例えば「蓋が開きっぱなしになっています。お閉め頂けますようお願い致します。」という文字情報）を提示すると判断する。これにより、容器１１が開状態のまま放置されて内容物１２が乾燥して使用不可となってしまうなどの事態の防止に貢献できるからである。
【００３６】
第４に、情報判断部２３ｂは、操作信号を規定時間以内に所定回数以上受信した場合に、図７に示すように、容器１１の保管に関する情報（例えば「厳重に保管頂けますようお願い致します。」という文字情報）を提示すると判断する。これにより、例えば子供のいたずらなどにより何度も容器１１が開けられている場合などには内容物１２の誤飲の可能性等が考えられ、このようなときに容器１１の保管を厳重に行うことを促すことができるからである。
【００３７】
再度図３を参照する。消費判断部２３ｃは、操作信号を受信した回数に基づいて内容物１２が所定量以上減少したかを判断するものである。
【００３８】
ここで、内容物１２は商品１０の種類に応じて１回の使用量が或る程度定まっているものである。このため、消費判断部２３ｃは、開操作を示す操作信号から閉操作を示す操作信号の受信までを１回の使用と判断し、商品１０の種類の情報と、操作信号を受信した回数（使用回数）の情報とに基づいて内容物１２の消費量を予測する。なお、消費判断部２３ｃは、開操作に応じた操作信号を受信してから、閉操作に応じた操作信号を受信するまでの時間の情報に基づいて、１回の使用量を増減調整しても良い。特に、開操作に応じた操作信号を受信してから、閉操作に応じた操作信号を受信するまでの時間が一定時間（例えば１秒）以下である場合には、内容物１２の消費が無かったと判断することが好ましい。
【００３９】
加えて、商品１０は、その種類に応じて一定期間（例えば１日）における使用回数についても或る程度定まっている。例えば化粧品においては、外出前の使用、化粧直し時の使用など、或る程度１日の最大使用回数が定まっている。よって、消費判断部２３ｃは、規定回数（商品１０の種類毎に異なることが好ましい）以上の操作信号の受信については、使用に伴う容器１１の開閉であると判断しないようにし、内容物１２の消費が無かったと判断することが好ましい。
【００４０】
さらに、本実施形態において情報判断部２３ｂは、消費判断部２３ｃにより内容物１２が所定量以上減少したと判断された場合において、以下の２つの情報の少なくとも一方の情報を提示すると判断する。図８は、内容物１２の減少時に提示される情報の一例を示す情報提示機器２０の正面図である。なお、図８に示す例では、２つの情報の双方を提示する例を示している。
【００４１】
図８に示すように、情報判断部２３ｂは、消費判断部２３ｃにより内容物１２が所定量以上減少したと判断された場合、１つ目の情報として、内容物１２の減少を示す情報（例えば「商品が残り僅かです（あと５回使用分）。」という文字情報）を提示すると判断する。これにより、顧客に対して内容物１２を再購入する必要性を提示できるからである。
【００４２】
さらに、情報判断部２３ｂは、２つ目の情報として、内容物１２の再発注に関する情報（例えば、１クリックで再発注できる画面へ遷移するｕｒｌ情報）を提示すると判断する。なお、情報判断部２３ｂは、内容物１２の減少時に自動的に再発注を行って、既に再発注した旨の情報を提示すると判断してもよい。以上により、内容物１２がもうすぐ無くなる場合などに再発注したり再発注を促したりすることができる。
【００４３】
加えて、情報判断部２３ｂは、受信した温度信号が示す温度に応じた情報を提示すると判断する。図９は、温度に応じて提示される情報の一例を示す情報提示機器２０の正面図である。例えば、温度Ｔ１以上Ｔ２以下において保管温度が適している内容物１２に対して、温度信号により示される温度がＴ２を超える場合、情報判断部２３ｂは、図９に示すように、より低温環境下において商品１０を保管するように促す情報（例えば「もう少し涼しい所に保管頂けますようお願い致します。」という文字情報）を提示すると判断する。同様に、温度Ｔ１以上Ｔ２以下において保管温度が適している内容物１２に対して、温度信号により示される温度がＴ１未満である場合、情報判断部２３ｂは、より高温環境下において商品１０を保管するように促す情報を提示すると判断する。
【００４４】
図１０は、本実施形態に係る情報提示システム１の処理内容を示すフローチャートであって、制御部２３により実行される処理を示している。なお、図１０に示す処理において温度信号は、開操作を示す操作信号と共に送信されるものとするが、これに限らず、閉操作を示す操作信号と共に送信されてもよい。
【００４５】
図１０に示すように、制御部２３は、まず、開操作を示す操作信号及び温度信号を受信したかを判断する（Ｓ１）。受信していないと判断した場合（Ｓ１：ＮＯ）、情報判断部２３ｂは、前回受信してから所定期間経過したかを判断する（Ｓ２）。前回受信してから所定期間経過していないと判断した場合（Ｓ２：ＮＯ）、処理はステップＳ１に移行する。
【００４６】
一方、前回受信してから所定期間経過したと判断した場合（Ｓ２：ＹＥＳ）、情報判断部２３ｂは、図５に示すように、使用を促す使用情報等を提示すると判断し、情報提示制御部２３ａは、使用情報等を提示させる（Ｓ３）。その後、図１０に示す処理を終了する。
【００４７】
ところで、開操作を示す操作信号及び温度信号を受信したと判断した場合（Ｓ１：ＹＥＳ）、情報判断部２３ｂは、温度信号が示す温度に基づいて保管温度が適正か判断する（Ｓ４）。そして、情報判断部２３ｂは、図９に示すような判断結果の情報（保管温度情報）を提示すると判断し、情報提示制御部２３ａは、保管温度情報を提示させる（Ｓ４）。
【００４８】
次いで、情報判断部２３ｂは、開操作を示す操作信号及び温度信号について、規定時間以内に所定回数以上受信したかを判断する（Ｓ５）。規定時間以内に所定回数以上受信したと判断した場合（Ｓ５：ＹＥＳ）、情報判断部２３ｂは、図７に示すように、厳重な保管を促す保管情報を提示すると判断し、情報提示制御部２３ａは、保管情報を提示させる（Ｓ６）。その後、図１０に示す処理を終了する。
【００４９】
規定時間以内に所定回数以上受信していないと判断した場合（Ｓ５：ＮＯ）、情報判断部２３ｂは、図４に示すように、顧客に対して使用のお礼を示すお礼情報等を提示すると判断し、情報提示制御部２３ａは、お礼情報等を提示させる（Ｓ７）。
【００５０】
次に、制御部２３は、閉操作を示す操作信号を受信したかを判断する（Ｓ８）。受信していないと判断した場合（Ｓ８：ＮＯ）、情報判断部２３ｂは、開操作を示す操作信号の受信から所定時間経過したかを判断する（Ｓ９）。所定時間経過していないと判断した場合（Ｓ９：ＮＯ）、処理はステップＳ８に移行する。
【００５１】
所定時間経過したと判断した場合（Ｓ９：ＹＥＳ）、情報判断部２３ｂは、図６に示すように、開状態の容器１１を閉じる旨の注意情報を提示すると判断し、情報提示制御部２３ａは、注意情報を提示させる（Ｓ１０）。そして、処理はステップＳ８に移行する。
【００５２】
閉操作を示す操作信号を受信したと判断した場合（Ｓ８：ＹＥＳ）、消費判断部２３ｃは、内容物１２の消費演算を行う（Ｓ１１）。その後、消費判断部２３ｃは、内容物１２が所定量以上減少したかを判断する（Ｓ１２）。ここでの所定量については、内容物１２の初期量に基づいて可変であることが好ましい。一例を挙げると、内容物１２の購入時の容量が１００ｇであるときには所定量を９０ｇに設定し、内容物１２の購入時の容量が５０ｇであるときには所定量を４０ｇに設定する。購入時の容量は、情報提示機器２０に手入力可能となっていてもよいし、通販サイト等とリンクしており、購入したときの情報を読み込めるようになっていてもよい。また、購入時等には減少量はリセットされることはいうまでもない。
【００５３】
所定量以上減少していないと判断した場合（Ｓ１２：ＮＯ）、図１０に示す処理は終了する。所定量以上減少したと判断した場合（Ｓ１２：ＹＥＳ）、情報判断部２３ｂは、図８に示すように、内容物１２の所定量以上の減少を示す減少情報、及び、再発注を促す再発注情報を提示すると判断し、情報提示制御部２３ａは、減少情報及び再発注情報を提示させる（Ｓ１３）。そして、図１０に示す処理は終了する。
【００５４】
このようにして、本実施形態に係る情報提示システム１によれば、容器１１への操作を検出して操作信号を送信し、情報提示機器２０にて情報を提示するため、顧客の商品１０の使用に伴う容器１１への操作に応じて情報を提示することができる。従って、顧客による読取操作を不要としたうえで顧客に情報提示することができる。
【００５５】
また、所定期間連続して送信部１５から操作信号を受信しなかった場合に情報を提示するため、商品１０が使用されず放置されている場合などに商品使用を促す情報を提示することができる。
【００５６】
また、操作信号を受信した回数に基づいて内容物１２が所定量以上減少したことを判断し、所定量以上減少したと判断された場合に、当該内容物１２の減少を示す情報を提示するため、内容物がもうすぐ無くなる場合などに情報を提示して利便性を向上させることができる。
【００５７】
また、操作信号を受信した回数に基づいて内容物１２が所定量以上減少したことを判断し、所定量以上減少したと判断された場合に、商品１０の再発注に関する情報を提示するため、内容物１２がもうすぐ無くなる場合などに再発注したり再発注を促したりすることができる。
【００５８】
また、操作センサ１３から開操作に応じた操作信号を受信した後に、閉操作に応じた操作信号を所定時間以上受信しなかった場合、容器１１が開状態のままである旨の情報提示を行うため、内容物１２が乾燥に弱いものである場合など容器１１が開状態のままとなり、内容物１２が使用できなくなってしまう事態の防止に貢献することができる。
【００５９】
また、操作信号を所定時間以内に所定回数以上受信した場合、情報の提示を行う。このため、例えば子供のいたずらなどにより何度も容器１１が開けられている場合などには内容物１２の誤飲の可能性等が考えられ、このようなときに容器１１の保管に関する情報の提示が行われることとなり、保管を厳重に行うこと（現在よりも保管を強化すること）を促して誤飲等の可能性を低減させることができる。
【００６０】
また、情報提示機器２０は温度信号が示す温度に応じた情報を提示するため、例えば、内容物１２からすると保管に適する温度環境で保管されていない場合などにその旨の情報を提示でき、内容物１２の品質維持に貢献することができる。
【００６１】
以上、実施形態に基づき本発明を説明したが、本発明は上記実施形態に限られるものではなく、本発明の趣旨を逸脱しない範囲で、変更を加えてもよいし、各実施形態を組み合わせてもよい。さらには、公知又は周知の技術を組み合わせてもよい。
【００６２】
例えば、本実施形態に係る情報提示システム１は、商品１０と情報提示機器２０とによって構成されているが、これらに加えて、サーバ装置などをさらに備えて３つ以上の要素が通信する形態となっていてもよい。
【００６３】
また、上記において消費演算にはユーザ傾向（多く使用する傾向がある人や少なく使用する傾向がある人）を加味するようにしてもよい。例えば、消費演算の結果、所定量以上減少したと判断される前に情報提示機器２０を通じて再発注している場合が複数回連続したときには、その顧客について内容物１２を多く使用すると判断し、１回の使用量に対して１を超える重み係数を乗じて消費演算を行うようにしてもよい。同様に、消費演算の結果、所定量を超えて内容物１２が無くなったと判断されてからも操作信号を受信するときには、その顧客について内容物１２を少なく使用すると判断し、１回の使用量に対して１未満の重み係数を乗じて消費演算を行うようにしてもよい。
【００６４】
さらに、上記において容器１１はヒンジ部を介した開閉方式であるが、これに限らず、容器１１は、スライド式により開閉されてもよいし、開閉方式は問うものではない。さらには、容器１１に対する操作は、開閉操作に限らず、プッシュ方式によって内容物１２を外部に押し出す容器である場合には、プッシュ操作であってもよい。
【００６５】
さらに、本実施形態に係る情報提示システム１については、容器１１への操作を検出する方式に限らず、可能であれば、容器１１内の用具を使用したかを検出するようにしてもよい。
【符号の説明】
【００６６】
１      ：情報提示システム
１０    ：商品
１１    ：容器
１１ａ  ：本体部
１１ｂ  ：蓋体
１２    ：内容物
１２ａ  ：中皿
１３    ：操作センサ
１４    ：温度センサ
１５    ：送信部
２０    ：情報提示機器
２１    ：操作表示部
２２    ：音声出力部
２３    ：制御部
２３ａ  ：情報提示制御部
２３ｂ  ：情報判断部
２３ｃ  ：消費判断部（消費判断手段）
【図１】
2017228051.tif 000003
【図２】
2017228051.tif 000004
【図３】
2017228051.tif 000005
【図４】
2017228051.tif 000006
【図５】
2017228051.tif 000007
【図６】
2017228051.tif 000008
【図７】
2017228051.tif 000009
【図８】
2017228051.tif 000010
【図９】
2017228051.tif 000011
【図１０】
2017228051.tif 000012